(57)【要約】【課題】従来の浴槽ブラシは浴槽内の底面から前面、手前の面、両側の面を掃除するときコーナーのところがスムーズにできなかった。【解決手段】柄の先に設けた枢軸、それを支える枢軸受けを台に設けて、その台は凹ませ、スイングするスポンジの上端より低い位置になるよう設ける。台を回動させる柄の先に設けた枢軸はスポンジの上端より低く設ける。これにより低重心、低軸芯にしたことを特徴とした浴槽清掃具。【選択図】図１
2011255141.tif 000002
【特許請求の範囲】
【請求項１】
柄の先に設けた枢軸、それを支える軸受けを台に設けてその台は、スイングする凹ませたスポンジの上端より低い位置になるよう設ける。
【請求項２】
台を回動させる柄の先に設けた枢軸はスイングするスポンジの上端より低く設ける。
【請求項３】
柄の先に設けた枢軸、それを回動自在に支える枢軸受け軸と枢軸受けを台に設けて、その台は中央を凹ませ、柄を倒したときにあたらないように四方にスリットを設け凹ませたスポンジに付ける。
【請求項４】
柄の先に設けた軸、それを支える軸受けを台に設けて、その台は上下にスポンジを付ける。
【請求項５】
柄の先に設けた枢軸それにスイングする磨き部を設けたブラシヘッドを中央を凹ませ、重心を低くする。
以上を特徴とする浴槽清掃具。
【発明の詳細な説明】
【技術分野】
【０００１】  本発明は、浴槽を楽にスムーズに掃除できる為の清掃道具に関するものである。
【背景技術】
【０００２】  従来、柄の先にブラシ（スポンジを含む）を付けて清掃する道具がある。
【発明の開示】
【発明が解決しようとする課題】
【０００３】  これは次のような問題点があった。
（ー）浴槽内の底面から前面、手前の面、両側の面を掃除するときコーナーのところがスムーズにできなかった。
（二）柄の先に固定したブラシは、掃除面が動かないのでやりにくい。
（三）柄の先の軸を中心にスイングするブラシは、浴槽内のカーブしているコーナーに対応できず前がつかえて後ろが上がって転がってしまう。
したがってスムーズに使いこなされなくてはならない。
本発明は、これらの欠点を除くためになされたものである。
【課題を解決するための手段】
【０００４】（イ）柄の先に設けた枢軸、それを支える軸受けを台に設けて、その台は、スイングして凹ませたスポンジの上端より低い位置になるよう設ける。
（ロ）台を回動させる柄の先に設けた枢軸はスポンジの上端より低く設ける。
（ハ）柄の先に設けた枢軸、それを支える枢軸受け軸と枢軸受けを台に設けてその台は中央を凹ませ、柄を倒したときにあたらないように四方にスリットを設け凹ませたスポンジに付ける。
（ニ）台を回動させる柄の先に設けた枢軸と枢軸受け軸はスポンジの上端より低く設ける。
（ホ）柄の先に設けた枢軸、それを支える枢軸受けを台に設けて、その台は上下にスポンジを付ける。
（ヘ）柄の先に設けた枢軸それにスイングする磨き部を設けたブラシヘッドを凹ませ重心を低くする。
以上を特徴とする浴槽清掃具。
【発明の効果】
【０００５】  本発明は以上のような構成だから、軸芯、重心を低くして安定させ、転がり抵抗を弱くして浴槽内の底面から前面、手前の面、両側の面を掃除するときコーナーのところで前がつかえず後ろが上がらないで滑らかでスムーズにできるようになる。したがって風呂掃除が楽にできるようになつた。
【発明を実施するための最良の形態】
【０００６】    以下、本発明の実施の形態について説明する。
（イ）図１、２は、本発明の１実施例であり、柄１の先に設けた枢軸２、それを支える枢軸受け３を台４ａに設けて、その台４ａは、上面が凹みスポンジ５の上端５ａより低い位置になるよう凹んで設ける。台４ａを回動させる柄の先に設けた枢軸２はスポンジ５の上端５ａより低く設ける。
（ロ）図３、４は、本発明の１実施例であり、柄１の先に設けた枢軸２、それを支える枢軸受け３を台４に設けて、その台４は、上面が湾曲スポンジ５の端５ａより低い位置になるよう湾曲し設ける。台４を回動させる柄の先に設けた枢軸２はスポンジ５の端５ａより低く設ける。
（ハ）図５、６は、本発明の１実施例であり、柄１の先に設けた枢軸２、それを回動し支える枢軸受け軸２ｂを揺動自在に設け、それを支える枢軸受け３を台４ｂに設けて、これにより自在にヘッド６を動かすことができる。その台４ｂは中央を凹ませ、柄１を倒したときにあたらないように四方にスリット４ｃを設け、凹ませたスポンジ５に付ける。台４ｂを回動させる柄１の先に設けた枢軸２と枢軸受け軸２ｂはスポンジ５の端５ａより低く設ける。スポンジ５は上下にスポンジ５よりやや硬めの不織布５ｂ、５ｃにすることにより、ブラシヘッド６がより滑らかでスムーズに動くようになる。これは中に挟んだスポンジ５がつぶれて不織布５ｂ、５ｃが浴槽内のコーナーのカーブに対応して進行方向に誘導するからである。
（ニ）図７、８は、本発明の１実施例であり、柄１の先に設けた枢軸２、それを支える枢軸受け３ａを台４ｄに設けて、そのフラットの台４ｄは上下にスポンジ５ｄ、５ｅを設ける。スポンジ５ｄは、柄１がスイングできるように切り欠く５ｆ。以上の実施例の磨きを有するスポンジ５は着脱自在にする手段にすることもあり、尚磨きを有するスポンジ５はその機能を帯有するものであれば他の構成であることをさまたげない。
（ホ）図９、１０は、本発明と従来品の比較図であり、図９の本発明の図ではブラシヘッド６が浴槽内のコーナー（カーブＵ）に対応してスムーズに動かせ発明の効果を示す。図１０は、従来品の図でありブラシヘッド６は、浴槽内のコーナー（カーブＵ）に対応できず前がつかえて後ろが上がってしまう。この比較図によって重心７、軸芯８を低くすることにより安定させ、転がり抵抗を弱くしてブラシヘッド６が滑らかに浴槽内をを動かせることを示す。
（ヘ）図１１は柄１の先に設けた枢軸２のスイングをロックする機能で、枢軸受け軸２ｂに開口部９を設け挿入棒１０をつまみ１１をスライドしてロックするブラシヘッド６のスイングを固定しスポンジ５の端で狭いところを掃除できる。
【図面の簡単な説明】
【０００７】
【図１】  特許請求１、２の本発明の上面斜視図
【図２】  特許請求１、２の本発明の断面図
【図３】  特許請求１、２の本発明の側面図
【図４】  特許請求１、２の本発明の上面斜視図
【図５】  特許請求３の本発明の断面図
【図６】  特許請求３の本発明の上面斜視図
【図７】  特許請求４の本発明の断面図
【図８】  特許請求４の本発明の上面斜視図
【図９】  特許請求５の本発明の使用比較図
【図１０】  特許請求５の従来品の使用比較図
【図１１】  ロック機能斜視図
【符号の説明】
【０００８】１  柄
２  枢軸
２ｂ枢軸受け軸
３  枢軸受け
４  湾曲した台
４ａ台
４ｂ凹んだ台
４ｃスリット
４ｄフラットな台
５  スポンジ
５ａスポンジの上端
５ｂ不織布
５ｃ不織布
５ｄ上スポンジ
５ｅ下スポンジ
５ｆ切り欠き
６  ブラシヘッド
７  重心
８  軸芯
９  開口部
１０挿入棒
１１つまみ
Ｐ  断面図を示す線
【図１】
2011255141.tif 000003
【図２】
2011255141.tif 000004
【図３】
2011255141.tif 000005
【図４】
2011255141.tif 000006
【図５】
2011255141.tif 000007
【図６】
2011255141.tif 000008
【図７】
2011255141.tif 000009
【図８】
2011255141.tif 000010
【図９】
2011255141.tif 000011
【図１０】
2011255141.tif 000012
【図１１】
2011255141.tif 000013